【事件の表示】
　特願２０１２−１０４８３８「傷病者特定システム及び特定方法」拒絶査定不服審判事件〔平成２５年１１月１４日出願公開、特開２０１３−２３２１６１、請求項の数（６）〕について、次のとおり審決する。
【結　論】
　原査定を取り消す。
　本願の発明は、特許すべきものとする。
【理　由】
第１　手続の経緯
　本願は、平成２４年５月１日の特許出願であって、その手続の経緯は以下のとおりである。
　平成２８年　２月　４日付け：拒絶理由の通知
　平成２８年　４月１１日　　：意見書、及び、手続補正書の提出
　平成２８年　９月　６日付け：拒絶査定
　平成２８年１２月　８日　　：審判請求書、及び、手続補正書の提出
　平成２９年　２月　７日　　：前置報告
　平成２９年　９月２１日付け：当審による拒絶理由の通知
　平成２９年１１月１３日　　：意見書、及び、手続補正書の提出
第２　原査定の概要
　原査定（平成２８年９月６日付け拒絶査定）の概要は次の通りである。
　本願請求項１−６に係る発明は、以下の引用文献１、２に基づいて、その発明の属する技術の分野における通常の知識を有する者（以下、「当業者」という。）が容易に発明できたものであるから、特許法第２９条第２項の規定により特許を受けることができない。
引用文献等一覧
１．特開２００９−２１７４４９号公報
２．特開２０１１−０４８７３４号公報
第３　当審拒絶理由の概要
　当審拒絶理由の概要は次のとおりである。
１．請求項１−６に係る発明は、明確でないため、特許法第３６条第６項第２号の規定により特許を受けることができない。
第４　本願発明
　本願請求項１−６に係る発明（以下、それぞれ「本願発明１」−「本願発明６」という。）は、平成２９年１１月１３日付けの手続補正で補正された特許請求の範囲の請求項１−６に記載された事項により特定される以下のとおりの発明である。
「【請求項１】
　傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを少なくとも含んで構成される傷病者特定システムであって、傷病者が発見された場所の座標値と発見時刻とから当該傷病者の初期値ＩＤが設定され、前記初期値ＩＤを含む一次データが前記携帯端末からネットワークを介して当該傷病者の搬送先の前記域内搬送拠点の前記域内拠点端末に送信されてそのデータベース管理手段によって管理され、前記傷病者が搬送された域内搬送拠点において、その域内搬送拠点の座標値と当該傷病者の受け入れ時刻とから第２ＩＤが設定されて前記初期値ＩＤに付加され、それに当該域内搬送拠点における処置内容を含む情報が関連付けされて付加されて二次データが作成され、前記域内拠点端末のデータベースにおける当該傷病者の一次データが更新されると共に、前記二次データが前記域内拠点端末から前記傷病者の搬送先である前記域外搬送拠点の域外拠点端末に送信されてそのデータベース管理手段によって管理され、前記傷病者が搬送された域外搬送拠点において、その域外搬送拠点の座標値と当該傷病者の受け入れ時刻とから第３ＩＤが設定されて前記初期値ＩＤ及び前記第２ＩＤに付加され、それに前記域外搬送拠点における処置内容を含む情報が関連付けされて付加されて三次データが作成され、前記域外拠点端末のデータベースにおける当該傷病者の前記二次データが更新されることを特徴とする傷病者特定システム。
【請求項２】
　更に、前記域外搬送拠点からの搬送先である最終治療病院に設置され、ネットワークを介して前記域外拠点端末に接続される最終病院端末を含み、前記三次データが前記域外拠点端末から前記最終治療病院の前記最終病院端末に送信されてそのデータベース管理手段によって管理され、前記最終治療病院において、その最終治療病院の座標値と当該傷病者の受け入れ時刻とから最終ＩＤが設定されて前記初期値ＩＤ、前記第２ＩＤ及び前記第３ＩＤに付加され、これに当該最終治療病院における処置内容が関連付けされて付加されて最終データが作成され、前記最終病院端末のデータベースにおける当該傷病者の三次データが更新される、請求項１に記載の傷病者特定システム。
【請求項３】
　前記域内拠点端末、前記域外拠点端末及び前記最終病院端末のそれぞれに対して外部からアクセスして、前記二次データ、三次データ及び最終データをそれぞれ閲覧することを可能にした、請求項２に記載の傷病者特定システム。
【請求項４】
　傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを用いて実行される傷病者特定方法であって、
　前記携帯端末により、一次トリアージ実施者である前記救助者により入力された、傷病者が発見された場所の座標値と発見時間とから当該傷病者の初期値ＩＤが設定されてそれに関連付けされた一次データが作成されるステップと、
　設定された前記初期値ＩＤが、前記一次データが前記ネットワークを介して前記携帯端末から当該傷病者の搬送先の前記域内搬送拠点の前記域内拠点端末に送信されてそのデータベース管理手段によって管理されるステップと、
　前記域内拠点端末により、当該傷病者が搬送された前記域内搬送拠点において、前記域内搬送拠点における二次トリアージ実施者により入力された、その域内搬送拠点の座標値と当該傷病者の受け入れ時刻とから第２ＩＤが設定されて前記初期値ＩＤに付加され、これに前記域内搬送拠点における処置内容を含む情報が関連付けされて付加されて二次データが作成され、当該傷病者の前記一次データが更新されるステップと、
　前記二次データが、当該傷病者の搬送先である前記域外搬送拠点の域外拠点端末に送信されてそのデータベース管理手段によって管理されるステップと、
　前記域外拠点端末により、当該傷病者が搬送された前記域外搬送拠点において、前記域外搬送拠点における三次トリアージ実施者により入力された、その域外搬送拠点の座標値と当該傷病者の受け入れ時刻とから第３ＩＤが設定されて前記初期値ＩＤ及び前記第２ＩＤに付加され、これに前記域外搬送拠点における処置内容を含む情報が関連付けされて付加されて三次データが作成され、当該傷病者の前記二次データが更新されるステップと、　から成ることを特徴とする傷病者特定方法。
【請求項５】
　更に、前記傷病者の前記域外搬送拠点からの搬送先である最終治療病院に設置され、ネットワークを介して前記域外拠点端末に接続される最終病院端末を含み、前記最終病院端末により、前記傷病者が搬送された前記最終治療病院において、前記最終治療病院における最終治療者により入力された、前記最終治療病院の地点の座標値と当該傷病者の受け入れ時刻とから最終ＩＤが設定され、前記初期値ＩＤ、第２ＩＤ及び第３ＩＤに付加され、また、これに前記最終治療病院における処置内容を含む情報が関連付けされて付加されて最終データが作成され、前記最終病院端末のデータベース管理手段によって管理されるステップを含む、請求項４に記載の傷病者特定方法。
【請求項６】
　前記域内拠点端末、前記域外拠点端末及び前記最終病院端末のそれぞれに対して外部からアクセスして、前記二次データ、三次データ及び最終データをそれぞれ閲覧することが可能にされる、請求項５に記載の傷病者特定方法。」
第５　引用文献、引用発明等
１．引用文献１について
　原査定の拒絶の理由に引用された引用文献１には、図面とともに次の事項が記載されている。（なお、下線部は当審にて付与した。）
（ア）「本発明は、傷病者選別票（以下、トリアージタグという。）使用による傷病者管理システムに係り、特に、電子ペンと、電子ペン専用ドットパターンが印刷されたトリアージタグ使用による傷病者管理システムに関する。」（【０００１】）
（イ）「図１は、トリアージタグ使用による傷病者管理システム１００の一例であり、図１に示すように、
トリアージタグ使用による傷病者管理システム１００は、
電子ペン１、通信端末３、電子ペンシステム管理サーバ４、トリアージタグ情報サーバ５、携帯型ＩＣタグリーダ７が、ネットワーク９を介して接続されて構成され
（ウ）「
携帯型ＩＣタグリーダ７は、傷病者の搬送に伴って、拠点（搬送拠点）８−１、拠点（医療機関）８−２等にて、傷病者に装着したトリアージタグ２のＩＣタグ１０に記憶されたトリアージタグ番号を読み取り、トリアージタグ情報サーバ５に送信し、傷病者情報データベース６から該当するトリアージタグ２の傷病者情報を問い合わせ、傷病者の搬送により変化する所在情報、トリアージ区分等の情報を更新要求す
（エ）「
トリアージタグ２はＩＣタグ１０を備え、トリアージタグ２の表面は、傷病者情報記載部２１、チェックボックス２３、その下部に形成された治療の優先度を識別する標識２４とから構成され、
　ＩＣタグ１０は、トリアージタグ２の表面、裏面、内部のいずれかに設け、自身のトリアージタグ番号を記憶しておく。本実施の形態では、裏面に貼着させるものとする。ＩＣタグ１０は、通常は金属層を積層した紙や、ＰＥＴやポリプロピレン、ポリエチレン、ポリスチレン、ナイロン等の各種材料等の基材に、ラミネートしたアルミ箔等の金属箔をフォトエッチングやレジスト印刷後のエッチングによりコイル状のアンテナを形成し、ＩＣチップを接続することにより形成する。
　
傷病者情報記載部２１は、傷病者に関する固有情報、収容された医療機関情報、搬送者に関する情報等が記載される第１の記載欄と、トリアージ実施情報、傷病者の状態情報等が記載される第２の記載欄からなる
　
第１の記載欄には
「トリアージ実施月日」
を記載する
　
第２の記載欄には、「トリアージ実施場所」、
を記載する。
（オ）「
災害現場１８において、電子ペン１、トリアージタグ２、通信端末３（携帯電話）を所有するトリアージ実施者７は、災害現場で傷病者を診断し、トリアージタグ２に電子ペン１を用いてトリアージタグ記載情報を記入し
　電子ペンの制御部１１は、撮像部１５で読み取ったドットパターンから記入したトリアージタグ記載情報（座標情報）を取得する（ステップＳ２０２）。
　
電子ペン
は、
トリアージタグ記載情報（座標情報）を通信端末３（携帯電話）に送信する
　通信端末３の制御部３１は、電子ペン１から受信した電子ペンコードとトリアージタグ記載情報（座標情報）を、電子ペンシステム管理サーバ４に送信する（ステップＳ２０４）。
　前述したように、電子ペンシステム管理サーバ４（ＰＬＳサーバ）は、ＡＳＨサーバのＵＲＬを、通信端末３を介して電子ペン１に送信する。電子ペンは再度、通信端末３を介して電子ペンコードとトリアージタグ記載情報を電子ペンシステム管理サーバ４（ＡＳＨサーバ）のＵＲＬに送信する。
　電子ペンシステム管理サーバ４（ＡＳＨサーバ）は、受信した電子ペンコードとトリアージタグ記載情報（座標情報）をテキストデータに変換し、通信端末３（携帯電話）に送信する。
　通信端末３の制御部３１は、テキストデータ化した電子ペンコードとトリアージタグ記載情報を受信する（ステップＳ２０５）。
　
通信端末３
は、
トリアージタグ記載情報をトリアージタグ情報サーバ５に送信する
（カ）「図１０に示すように、災害現場１８でトリアージ実施者は、傷病者を診断し、トリアージタグ２（ＩＣタグ付与）に電子ペン１を用いてトリアージタグ記載情報を記入し、
トリアージタグ情報サーバ５は、
電子ペン１より取得したトリアージタグ記載情報を基に傷病者情報を傷病者情報データベース６に登録する。
　図１２に示すように、拠点８にて、傷病者に装着されているトリアージタグ２（ＩＣタグ１０貼付）に携帯型ＩＣタグリーダ７かざす（ステップＳ３０１）。携帯型ＩＣタグリーダ７の制御部７１は、ＩＣタグ１０のメモリに記憶した情報であるトリアージタグ番号６１、トリアージタグ情報サーバ５の送信先アドレスであるＵＲＬを読み取る（ステップＳ３０２）。
　ＩＣタグリーダ７の制御部７１は、読み取ったトリアージタグ番号６１を、読み取ったトリアージタグ情報サーバ５のＵＲＬに送信する（ステップＳ３０３）。
　トリアージタグ情報サーバ５の制御部５１は、傷病者情報データベース６から受け取ったトリアージタグ番号６１に該当する傷病者情報６０を取得する（ステップＳ３０４）。
　
トリアージタグ情報サーバ５
は、登録されている該傷病者情報６０のトリアージタグ番号６１、所在情報６３、トリアージ区分６２と、拠点所在情報テーブル８０を基に所定範囲の拠点のリストボックスからなる情報更新画面データを生成し、ＩＣタグリーダ７に送信する
　ＩＣタグリーダ７の制御部７１は、受け取った情報更新画面９２を表示する（ステップＳ３０６）。
　図１０に示すように、情報更新画面９２は、該傷病者のトリアージタグ番号、トリアージ区分、登録されている都道府県名、市区町村名、拠点名と、所定範囲の拠点のリストボックスからなる。
　トリアージ実施者は、情報更新画面９２に従って、現在地（拠点名等）、傷病者の症状の変化に応じてトリアージ区分をリストボックスから選択、入力する（ステップＳ３０７）。
　ＩＣタグリーダ７の制御部７１は、更新ボタンにより、入力された現在地（拠点名等）、トリアージ区分等をトリアージタグ情報サーバ５に送信する（ステップＳ３０８）。
　
トリアージタグ情報サーバ５の制御部５１は、受信した現在地（都道府県名、市区町村名、拠点）、トリアージ区分を基に所在情報６３を、傷病者情報データベース６の該当する傷病者情報６０に登録（更新）する
　したがって、上記（ア）ないし（カ）の記載から、上記引用文献１には次の発明（以下、「引用発明」という。）が記載されていると認められる。
「トリアージタグ使用による傷病者管理システム１００は、電子ペン１、通信端末３、電子ペンシステム管理サーバ４、トリアージタグ情報サーバ５、携帯型ＩＣタグリーダ７が、ネットワーク９を介して接続されて構成され、
　携帯型ＩＣタグリーダ７は、傷病者の搬送に伴って、拠点（搬送拠点）８−１、拠点（医療機関）８−２等にて、傷病者に装着したトリアージタグ２のＩＣタグ１０に記憶されたトリアージタグ番号を読み取り、トリアージタグ情報サーバ５に送信し、傷病者情報データベース６から該当するトリアージタグ２の傷病者情報を問い合わせ、傷病者の搬送により変化する所在情報、トリアージ区分等の情報を更新要求し、
　トリアージタグ２はＩＣタグ１０を備え、トリアージタグ２の表面は、傷病者情報記載部２１、チェックボックス２３、その下部に形成された治療の優先度を識別する標識２４とから構成され、
　傷病者情報記載部２１は、傷病者に関する固有情報、収容された医療機関情報、搬送者に関する情報等が記載される第１の記載欄と、トリアージ実施情報、傷病者の状態情報等が記載される第２の記載欄からなり、
　第１の記載欄には、「トリアージ実施月日」が記載され、第２の記載欄には、「トリアージ実施場所」が記載され、
　災害現場１８において、電子ペン１、トリアージタグ２、通信端末３（携帯電話）を所有するトリアージ実施者７は、災害現場で傷病者を診断し、トリアージタグ２に電子ペン１を用いてトリアージタグ記載情報を記入し、
　電子ペンは、トリアージタグ記載情報（座標情報）を通信端末３（携帯電話）に送信し、
　通信端末３は、トリアージタグ記載情報をトリアージタグ情報サーバ５に送信し、
　トリアージタグ情報サーバ５は、電子ペン１より取得したトリアージタグ記載情報を基に傷病者情報を傷病者情報データベース６に登録し、
　トリアージタグ情報サーバ５は、登録されている該傷病者情報６０のトリアージタグ番号６１、所在情報６３、トリアージ区分６２と、拠点所在情報テーブル８０を基に所定範囲の拠点のリストボックスからなる情報更新画面データを生成し、ＩＣタグリーダ７に送信し、
　トリアージタグ情報サーバ５は、受信した現在地（都道府県名、市区町村名、拠点）、トリアージ区分を基に所在情報６３を、傷病者情報データベース６の該当する傷病者情報６０に登録（更新）する
　傷病者管理システム」
２．引用文献２について
　原査定の拒絶の理由に引用された引用文献２には、図面とともに次の事項が記載されている。
（キ）「本発明は、災害・救急医療において傷病者に対して決定されたトリアージ区分を示すトリアージ情報を入力するためのトリアージ情報入力端末、およびトリアージ情報入力端末を使用した傷病者管理システムに関するものである。」（【０００１】）
（ク）「入力端末２では、制御部１８が、トリアージ情報検出処理を繰り返し実行する。その際に、区分入力スイッチに対する操作を検出したとき（本例では、誤入力防止のため、区分入力スイッチに対する操作が一例として２秒以上継続したときに、制御部１８は区分入力スイッチに対する操作があったと検出する）には、制御部１８は、区分入力スイッチに対する操作を受け付けたことを使用者に表示するため、発光ダイオードＬＤ１（緑色）を所定時間点灯させる。また、制御部１８は、各区分入力スイッチ１１〜１４のうちから操作された区分入力スイッチを特定して、この区分入力スイッチに対応するトリアージ区分を示すトリアージ情報Ｄｔを内部メモリに記憶する。また、制御部１８は、区分入力スイッチに対する操作を検出したときには、識別情報読み取り処理、位置情報取得処理および送信処理を実行する。この識別情報読み取り処理では、制御部１８は、制御信号Ｓ１を読取部１５に対して出力することにより、入力端末２に最も近接する傷病者５に取り付けられたトリアージタッグ６に配設されているＩＣタグ６ｅから識別情報Ｄｄを読み出して、内部メモリに記憶する。また、位置情報取得処理では、制御部１８は、制御信号Ｓ２をＧＰＳ受信部１６に対して出力することにより、ＧＰＳ受信部１６で算出された位置情報Ｄｇを入力して、内部メモリに記憶する。また、識別情報読み取り処理および位置情報取得処理に続いて実行される送信処理では、制御部１８は、内部メモリに記憶されているトリアージ情報Ｄｔ、識別情報Ｄｄおよび位置情報Ｄｇを読み出して、これらを傷病者情報Ｄｐとして送信部１７に出力する。送信部１７は、入力したこの傷病者情報Ｄｐを無線で送信する。また、制御部１８は、傷病者情報Ｄｐを送信部１７に出力した後、発光ダイオードＬＤ１（緑色）を所定時間点灯（一例として点滅）させる。これにより、送信部１７が送信動作を実行しているときに発光ダイオードＬＤ１が点灯するため、使用者は傷病者情報Ｄｐが送信されていることを認識することができる。なお、送信部１７が送信動作状態にあることを示す状態信号を送信動作中に制御部１８に対して出力する構成を採用したときには、制御部１８がこの状態信号の入力を検出したときに発光ダイオードＬＤ１を点灯させる構成とすることもできる。
　中継装置３は、このようにして複数の入力端末２から送信された傷病者情報Ｄｐを中継して、管理装置４に伝送する。管理装置４では、受信装置２１が傷病者情報Ｄｐを受信して処理装置２２に出力し、処理装置２２が内部記憶装置に記憶する。また、処理装置２２は、内部記憶装置に予め記憶されている地図情報と傷病者情報Ｄｐとに基づいて、地域毎の傷病者５の発生状況、および地域毎の傷病者５の重症度の分布状況を集計して、傷病者発生情報Ｄｉとして配信装置２３に、傷病者情報Ｄｐと共に配信可能に記憶（保持）させる。」（【００３４】−【００３５】）
（ケ）「また、この傷病者管理システム１によれば、以上のような入力端末２と、入力端末２から送信された傷病者情報Ｄｐを受信する受信装置２１と、傷病者情報Ｄｐを受信装置２１から入力して配信可能に保持する配信装置２３とを備えたことにより、配信装置２３に対してアクセスし得る装置であれば、場所や時間を問わず、傷病者情報Ｄｐおよび傷病者発生情報Ｄｉを取得することができる。また、この装置が傷病者情報Ｄｐおよび傷病者発生情報Ｄｉを表示し得る表示装置３１を含むものであれば、配信装置２３に対してアクセスすることにより、場所や時間を問わず、傷病者情報Ｄｐおよび傷病者発生情報Ｄｉを表示させて、確認することができる。
　なお、図２において破線で示すように、時刻情報Ｄｃを生成する時計部２０を入力端末２に設けて、区分入力スイッチ１１〜１４のいずれかが操作された際に、制御部１８が時計部２０から時刻情報Ｄｃを取得して、傷病者情報Ｄｐの一部として送信部１７に出力する構成を採用することもできる。なお、時計部２０は、例えば、ＲＴＣ（Ｒｅａｌ  Ｔｉｍｅ  Ｃｌｏｃｋ）で構成することができる。この構成によれば、携帯型パソコンを使用する端末とは異なり、極めて短時間で時刻情報Ｄｃを含む傷病者情報Ｄｐを送信することができる。また、ＧＰＳ受信部１６がＧＰＳ衛星７から受信する電波には、位置情報のみならず、時刻情報も含まれている。このため、時計部２０を設ける構成に代えて、ＧＰＳ受信部１６が位置情報Ｄｇと共に時刻情報を出力するように構成した場合、制御部１８がＧＰＳ受信部１６から時刻情報を取得して、傷病者情報Ｄｐの一部として送信部１７に出力する構成を採用することもできる。」（【００４０】−【００４１】）
第６　対比・判断
１．本願発明１について
１−１．対比
　本願発明１と引用発明とを対比する。
（１）
　引用発明では、「災害現場１８において、電子ペン１、トリアージタグ２、通信端末３（携帯電話）を所有するトリアージ実施者７は、災害現場で傷病者を診断」するのであるから、引用発明の「災害現場」及び「トリアージ実施者」は、本願発明１でいうところの『傷病者の発見地点』及び『救助者』に相当する。
　また、引用発明において、「トリアージ実施者」が所有する「通信端末」は、本願発明１でいうところの『携帯端末』に相当する。
（２）
　引用発明では、災害現場から「拠点（搬送拠点）８−１」に傷病者が搬送されることは明らかであるから、引用発明の「拠点（搬送拠点）８−１」は、『傷病者の発見地点からの搬送先である搬送拠点』である点で、本願発明１でいうところの『域内搬送拠点』と共通している。
　また、引用発明では、「拠点（搬送拠点）８−１」から「拠点（医療機関）８−２」に傷病者が搬送されることも明らかであるから、引用発明の「拠点（医療機関）８−２」は、『搬送拠点からの搬送先である搬送拠点』である点で、本願発明１でいうところの『域外搬送拠点』と共通している。
　そして、引用発明において、「携帯型ＩＣタグリーダ」は、各拠点に備えられているものであることは明らかであるから、「携帯型ＩＣタグリーダ」は、本願発明１でいうところの『拠点端末』に相当する。
（３）
　引用発明の「トリアージタグ使用による傷病者管理システム」は、「電子ペン１、通信端末３、電子ペンシステム管理サーバ４、トリアージタグ情報サーバ５、携帯型ＩＣタグリーダ７が、ネットワーク９を介して接続されて構成され」ているのであるから、「通信端末」及び各拠点の備えられている「携帯型ＩＣタグリーダ」がネットワークを介して接続されていることは明らかである。
（４）
　引用発明では、「所在情報６３を、傷病者情報データベース６の該当する傷病者情報６０に登録（更新）する」のであるから、引用発明と本願発明１とは、『傷病者のデータが更新される』点で共通する。
（５）
　引用発明の「傷病者管理システム」は、本願発明１でいうところの『傷病者特定システム』に相当することは明らかである
　したがって、上記（１）から（５）で対比した様に、本願発明１と引用発明との間には、次の一致点、相違点がある。
（一致点）
「傷病者の発見地点からの搬送先である搬送拠点に設置される拠点端末と、救助者が所持し、ネットワークを介して前記拠点端末に接続される携帯端末と、前記搬送拠点からの搬送先である搬送拠点に設置され、ネットワークを介して前記拠点端末に接続される拠点端末とを少なくとも含んで構成される傷病者特定システムであって、傷病者のデータが更新される傷病者特定システム」
（相違点）
（相違点１）本願発明１では、『携帯端末』が『ＧＰＳ機能を備えている』のに対し、引用発明の「通信端末」には、その旨の特定がない点。
（相違点２）本願発明１では、各『搬送拠点』が『域内』と『域外』で特定されているのに対し、引用発明の「拠点（搬送拠点）８−１」と「拠点（医療機関）８−２」には、その旨の特定がない点。
（相違点３）本願発明１では、『傷病者が発見された場所の座標値と発見時刻とから当該傷病者の初期値ＩＤが設定され』るのに対し、引用発明では、傷病者の情報として「トリアージ実施場所」と「トリアージ実施月日」が記載されるものの、それらを初期値ＩＤとして設定することは特定されていない点。
（相違点４）本願発明１では、『前記初期値ＩＤを含む一次データが前記携帯端末からネットワークを介して当該傷病者の搬送先の前記域内搬送拠点の前記域内拠点端末に送信されてそのデータベース管理手段によって管理され』るのに対し、引用発明では、「通信端末」が「拠点（搬送拠点）８−１」の「携帯型ＩＣタグリーダ」には送信していない点。
（相違点５）本願発明１では、『前記傷病者が搬送された域内搬送拠点において、その域内搬送拠点の座標値と当該傷病者の受け入れ時刻とから第２ＩＤが設定されて前記初期値ＩＤに付加され、それに当該域内搬送拠点における処置内容を含む情報が関連付けされて付加されて二次データが作成され、前記域内拠点端末のデータベースにおける当該傷病者の一次データが更新されると共に、前記二次データが前記域内拠点端末から前記傷病者の搬送先である前記域外搬送拠点の域外拠点端末に送信されてそのデータベース管理手段によって管理され、前記傷病者が搬送された域外搬送拠点において、その域外搬送拠点の座標値と当該傷病者の受け入れ時刻とから第３ＩＤが設定されて前記初期値ＩＤ及び前記第２ＩＤに付加され、それに前記域外搬送拠点における処置内容を含む情報が関連付けされて付加されて三次データが作成され、前記域外拠点端末のデータベースにおける当該傷病者の前記二次データが更新される』のに対し、引用発明では、各拠点にて、傷病者の搬送により変化する所在情報を更新要求し、トリアージタグ情報サーバで所在情報を更新している点。
１−２．相違点についての判断
　上記相違点４について判断する。
　本願発明１では、『初期値ＩＤを含む一次データ』が『携帯端末』からネットワークを介して『域内拠点端末』に送信され、域内拠点端末の『データベース管理手段によって管理され』る構成を備えているのに対し、引用発明では、「トリアージタグ記載情報」を「通信端末」から「トリアージタグ情報サーバ」に送信して、「トリアージタグ記載情報」は「トリアージタグ情報サーバ」で管理されるものである。
　そして、引用文献１には、「通信端末」から「拠点（搬送拠点）８−１」の「携帯型ＩＣタグリーダ」に「トリアージタグ記載情報」を送信すること、及び、「トリアージタグ情報サーバ」を用いずに、傷病者のデータである「トリアージタグ記載情報」を「拠点（搬送拠点）８−１」の「携帯型ＩＣタグリーダ」で管理することは、記載も示唆もされていない。
  また、引用文献２にも上記構成については記載されておらず、上記構成が周知技術であるともいえない。
　したがって、他の相違点について判断するまでもなく、本願発明１は、当業者であっても引用発明、引用文献２に記載された技術的事項に基づいて容易に発明できたものであるとはいえない。
　
２．本願発明２、３について
　本願発明２、３はいずれも請求項１を引用するものであり、本願発明１と同一の構成を備えるものであるから、本願発明１と同じ理由により、当業者であっても、引用発明、引用文献２に記載された技術的事項に基づいて容易に発明できたものとはいえない。
３．本願発明４−６について
　本願発明４−６は、本願発明１−３にそれぞれ対応する方法の発明であり、本願発明１の構成に対応する構成を備えるものであるから、本願発明１と同じ理由により、当業者であっても、引用発明、引用文献２に記載された技術的事項に基づいて容易に発明できたものとはいえない。
第７　原査定についての判断
　平成２９年１１月１３日付け手続補正により補正された請求項１−６は、それぞれ上記相違点４に係る構成を備えるものとなっており、上記「第５　引用文献、引用発明等」から「第６　対比・判断」で言及したとおり、本願発明１−６は、原査定における引用文献１、２には記載されておらず、本願出願日前における周知技術でもないので、本願発明１−６は、当業者であっても、原査定における引用文献１、２に基づいて容易に発明できたものではない。したがって、原査定を維持することはできない。
第８　当審拒絶理由について
　当審では、請求項１の「初期値ＩＤが設定されて当該傷病者に付されると共に」との記載、及び、請求項４の「設定された前記初期値ＩＤが、前記救助者により当該傷病者に付されると共に」との記載に対し、「傷病者に付される」ことは端末が行う動作であるのか不明瞭であるという拒絶の理由を通知しているが、平成２９年１１月１３日付けの補正において、請求項１、４において、「傷病者に付される」ことが削除された結果、この拒絶の理由は解消した。
　当審では、請求項４の各ステップの主体が不明瞭であるという拒絶の理由を通知しているが、平成２９年１１月１３日付けの補正において、ステップの主体が特定された結果、この拒絶の理由は解消した。
　当審では、請求項３、６の「前記域内拠点端末、前記域外拠点端末及び前記最終病院端末に対して外部からアクセスして、前記二次データ、三次データ及び最終データを閲覧する」との記載に対し、それぞれに対し外部からアクセスするのか、全てに対し外部からアクセスするのか不明瞭であるという拒絶の理由を通知しているが、平成２９年１１月１３日付けの補正において、それぞれに対し外部からアクセスすることが特定された結果、この拒絶理由は解消した。
第９　むすび
　以上のとおり、原査定の理由によっては、本願を拒絶することはできない。
　また、他に本願を拒絶すべき理由を発見しない。
　よって、結論のとおり審決する。